(57)【要約】【課題】多方向から表示を見ることができ、安価で省スペースの表示装置を提供する。【解決手段】表示部を有する矩形の３枚の表示板２ａ，２ｂ，２ｃが平面視で三角形に配置されて架台３上に支持され、３枚の表示板のうち少なくとも１枚の表示板は、隣接する表示板の端部との間に隙間Ｃが設けられ、背面側で垂直軸２３の回りに揺動可能に支持された可動表示板である。３枚の表示板のうち１枚、又は２枚、あるいは全ての表示板が可動表示板であってもよい。３枚の表示板は、架台に設けられた３本の支柱１８ａ，１８ｂ，１８ｃにそれぞれ支持されている。【選択図】図１
0003205167.tif 000002
【実用新案登録請求の範囲】
【請求項１】
表示部を有する矩形の３枚の表示板が平面視で三角形に配置されて架台上に支持され、
前記３枚の表示板のうち少なくとも１枚の表示板は、隣接する前記表示板の端部との間に隙間が設けられ、背面側で垂直軸の回りに揺動可能に支持された可動表示板であることを特徴とする表示装置。
【請求項２】
前記３枚の表示板のうち１枚の表示板が、前記可動表示板であることを特徴とする請求項１に記載の表示装置。
【請求項３】
前記３枚の表示板のうち２枚の表示板が、前記可動表示板であることを特徴とする請求項１に記載の表示装置。
【請求項４】
前記３枚の表示板のうち全ての表示板が、前記可動表示板であることを特徴とする請求項１に記載の表示装置。
【請求項５】
前記３枚の表示板は、前記架台に設けられた３本の支柱にそれぞれ支持されていることを特徴とする請求項１から４のいずれかに記載の表示装置。
【請求項６】
前記可動表示板は、背面側の中央で揺動可能に支持されていることを特徴とする請求項１から５のいずれかに記載の表示装置。
【請求項７】
前記表示板の前記表示部は、多数の発光素子を配置することによって構成され、前記発光素子の点灯又は点滅によって特定の情報が表示されることを特徴とする請求項１から６のいずれかに記載の表示装置。
【考案の詳細な説明】
【技術分野】
【０００１】
本考案は、ガソリン等の価格が表示され、道路の交差点のコーナーに設置されて多方向から表示を見ることができる表示装置に関する。
【背景技術】
【０００２】
道路沿いにあるガソリンスタンド等の店舗では、ガソリン等の価格を表示した表示装置が設置されている。表示装置の表示部を表と裏の２面に設けておけば、店舗側の車線と対向車線を通る車のドライバーから表示をみることができる。しかし、三差路、四差路、五差路等の交差点のコーナーに位置するガソリンスタンド等の店舗では、表示装置の表示が各道路から交差点に近づく車のドライバーから見えることが望まれる。
【０００３】
このような場合、最も単純には、表示装置を２台以上設置すればよいが、これではコストがかかるうえ、設置スペースをとり、車の出入りの邪魔になる。また、特許文献１−３で提案されているように、回転式の表示装置を設置することも考えられるが、車を運転するドライバーにとっては、回転する表示の内容を瞬時に理解することはできないし、表示を凝視していると、前方が不注意になり、危険である。
【先行技術文献】
【特許文献】
【０００４】
【特許文献１】特開２０００−１４８０５３号公報
【特許文献２】特開平６−１７５５８８号公報
【特許文献３】実用新案登録第３０１２１５６号公報明細書
【考案の概要】
【考案が解決しようとする課題】
【０００５】
本考案は斯かる従来の問題点に鑑みてなされたもので、多方向から表示を見ることができ、安価で省スペースの表示装置を提供することを課題とする。
【課題を解決するための手段】
【０００６】
前記課題を解決するための手段として、本考案は、表示部を有する矩形の３枚の表示板が平面視で三角形に配置されて架台上に支持され、前記３枚の表示板のうち少なくとも１枚の表示板は、隣接する前記表示板の端部との間に隙間が設けられ、背面側で垂直軸の回りに揺動可能に支持された可動表示板であることを特徴とする。
【０００７】
本考案では、矩形の３枚の表示板が平面視で三角形に配置されて架台上に支持されているため、例えば四差路の交差点のコーナーに本考案の表示装置を配置し、その第１の表示板が交差点の対角のコーナーから見えるように設置することで、対角のコーナーを挟む２つの道路から交差点に入る車からは第１の表示板を視認することができ、表示装置を設置したコーナーを挟む２つの道路から交差点に入る車からはそれぞれ第２の表示板、第３の表示板を視認することができるので、１つの表示装置で４つの方向から表示を視認することができる。三差路や五差路に設置しても同様に、多方向から表示を見ることができる。また、３枚の表示板が架台上に配置されているため、個別の架台に設けるよりも安価で省スペースである。
【０００８】
前記３枚の表示板のうち、１枚の表示板が、前記可動表示板であってもよいし、２枚の表示板が、前記可動表示板であってもよいし、全ての表示板が、前記可動表示板であってもよい。
【０００９】
前記３枚の表示板は、前記架台に設けられた３本の支柱にそれぞれ支持されていることが好ましい。
【００１０】
前記可動表示板は、背面側の中央で揺動可能に支持されていることが好ましい。
【００１１】
前記表示板の前記表示部は、多数の発光素子を配置することによって構成され、前記発光素子の点灯又は点滅によって特定の情報が表示されることが好ましい。
【考案の効果】
【００１２】
本考案によれば、矩形の３枚の表示板が平面視で三角形に配置されて架台上に支持されているため、１つの表示装置で４つの方向から表示を視認することができる。また、３枚の表示板が架台上に配置されているため、個別の架台に設けるよりも安価で省スペースであるという効果を有している。
【図面の簡単な説明】
【００１３】
【図１】本考案の実施形態に係る表示装置の斜視図。
【図２】図１の表示装置の表示板の拡大水平断面図。
【図３】図１の表示装置の正面図。
【図４】図１の表示装置の左側面図。
【図５】図１の表示装置の背面図。
【図６】図１の表示装置の平面図。
【図７】図６のVII-VII線断面図。
【図８】図７のVIII-VIII線拡大断面図。
【図９】図７のIX-IX線拡大断面図。
【図１０】図１の表示装置の設置状態を示す斜視図。
【図１１】図１の表示装置の表示板の角度を変更した状態を示す平面図。
【考案を実施するための形態】
【００１４】
以下、本考案の実施形態を添付図面に従って説明する。
【００１５】
図１は、本考案の一実施形態に係る表示装置１である。この表示装置１は、道路の交差点に位置するガソリンスタンドの道路沿いのコーナーに設置され、ガソリン、軽油等の価格を表示するものである。表示装置１は、３枚の表示板２ａ，２ｂ，２ｃと、架台３とから構成されている。
【００１６】
３枚の表示板２ａ，２ｂ，２ｃはいずれも、図２に示すように、矩形の枠４と、表板５と、裏板６とを有する。
【００１７】
枠４は、アルミニウム製の角パイプ（型材）からなる枠本体７と、アルミニウム製のアングル材からなる化粧枠８とからなっている。化粧枠８は表板５の四辺と枠本体７の外周面を覆うようにリベットにより枠本体７に固定されている。
【００１８】
表板５は、外面が黒、内面が白のカラーアルミ板を有するアルミ複合板からなり、枠本体７の前面にビス止めされている。表板５には、多数の孔９が形成され、当該孔９に内面側から発光素子としてのＬＥＤ１０が外面に突出するように挿入され、固定されている。ＬＥＤ１０は、油種、支払種別、価格等を示す文字、数字に沿って配置されることにより、図３に示すように、表示部１１ａ，１１ｂ，１１ｃを構成している。
【００１９】
油種の表示部１１ａのＬＥＤ１０は、「レギュラー」の文字に沿って配置され、緑色の点滅又は点灯によって「レギュラー」と表示される。また、「レギュラー」の文字に沿って緑色のカッティングシート１２が貼り付けられ、ＬＥＤ１０による表示とカッティングシート１２による表示が可能になっている。支払種別の表示部１１ｂのＬＥＤ１０は、「カード」と「会員価格」の文字に沿って配置され、橙色の点滅又は点灯によって「カード会員価格」と表示される。また、価格の表示部１１ｃのＬＥＤ１０は、「１」と「８」と「８」の三桁の数字に配置され、１桁目と２桁目はＬＥＤ１０を選択して赤色で点滅又は点灯させることで、７セグのように「０」〜「９」の表示が可能である。３桁目は、ＬＥＤ１０を赤色で点滅又は点灯させるか、消灯させることで、「１」の表示又は無表示とすることができる。表示部１１ｃの右下には、リッター当たりの円単価であることを示す「￥/Ｌ」の記号及び文字が白のカッティングシートにより表示されている。
【００２０】
図２において、裏板６は、外面と内面が白のカラーアルミ板を有するアルミ複合板からなり、枠本体７の裏面に取り外し可能にビス止めされている。裏板６には、図７に示すように、上部に２つの換気口１３、下部にＬＥＤ１０の結線ボックス１４が設けられている。結線ボックス１４は、各ＬＥＤ１０のリード線（不図示）を結線して外部に導き出すためのものである。また、図９に示すように、裏板６の上辺と下辺には、蟻溝１５ａを有する支持部１５が取り付けられ、上辺の支持部１５の中央に取付板１６が固定されている。
【００２１】
図２に戻ると、枠４と表板５の取付部Ａ、及び表板５とＬＥＤ１０の取付部Ｂにはシリコンを塗布することにより防水処理が施されている。
【００２２】
図１に示すように、架台３は、ベース部１７と３本の支柱１８ａ，１８ｂ，１８ｃとからなっている。ベース部１７は、Ｈ形鋼からなる２本の横部材１７ａと、２本の縦部材１７ｂと、２本の縦部材１７ｂの間の中間部材１７ｃとで組まれている。図３−５に示すように、２本の横部材１７ａの両端部の下面に、４個のキャスター１９とレベル調整可能な４つの脚２０が取り付けられている。３本の支柱１８ａ，１８ｂ，１８ｃは、平面視で三角形の頂点に位置するように、ベース部１７の縦部材１７ｂ，１７ｂ、中間部材１７ｃに立設されて固定されている。支柱１８ａ，１８ｂ，１８ｃの上端は、連結部材２１ａにより互いに連結され、中間部も同様に連結部材２１ｂにより互いに連結されている。
【００２３】
支柱１８ａ，１８ｂ，１８ｃの連結部材２１ｂには、制御箱２２が取り付けられている。制御箱２２と裏板６の結線ボックス１４は、ＬＥＤ１０の結線ケーブルを収容する図示しないＰＦ管により接続されている。制御箱２２は、表示板２ａ，２ｂ，２ｃのＬＥＤ１０を点滅又は点灯、消灯を制御し、表示する価格の変更が可能になっている。
【００２４】
３枚の表示板２ａ，２ｂ，２ｃは、図３−６に示すように、表示部１１ａ，１１ｂ，１１ｃを有する表板５が外側になるようにして、取付板１６を支柱１８ａ，１８ｂ，１８ｃの上端に載置し、取付板１６と支柱１８ａ，１８ｂ，１８ｃの上端を貫通するボルト２３により、ボルト２３の周りに揺動可能に支持されている。ボルト２３及び/又は支柱１８ａ，１８ｂ，１８ｃは、本考案の垂直軸を構成する。３枚の表示板２ａ，２ｂ，２ｃ、例えば表示板２ａは、隣接する表示板２ｂ，２ｃとの間に隙間Ｃが形成されるように、図６に示すように、平面視で三角形に配置されている。また、図８、図９に示すように、表示板２ａ，２ｂ，２ｃの上下の支持部１５に、支柱１８ａ，１８ｂ，１８ｃを挟むように固定金具２４を取り付け、支持部１５の蟻溝１５ａに頭部を挿入したボルト２５により固定することで、表示板２ａ，２ｂ，２ｃを任意の角度で固定できるようになっている。
【００２５】
図３に
前記実施形態の表示装置１では、３枚の表示板２ａ，２ｂ，２ｃはいずれも、垂直軸を構成するボルト２３及び/又は支柱１８ａ，１８ｂ，１８ｃの周りに揺動可能な可動表示板であるが、３枚の表示板２ａ，２ｂ，２ｃのうち、少なくともいずれか１つの表示板が可動表示板であってもよい。すなわち、３枚の表示板２ａ，２ｂ，２ｃのうち１枚の例えば表示板２ａが可動表示板であり、他の２枚の表示板２ｂ，２ｃが固定されていてもよい。また、３枚の表示板２ａ，２ｂ，２ｃのうち例えば２枚の表示板２ｂ，２ｃが、可動表示板であり、残りの１枚の表示板２ａが固定されていてもよい。
【００２６】
以上の構成からなる表示装置１は、図１０に示すように、道路の四差路の交差点のコーナーにあるガソリンスタンド等の店舗の敷地や歩道近くに設置する。そして、第１の表示板２ａを交差点の対角のコーナーに向ける。これにより、対角のコーナーを挟む２つの道路から交差点に入る車からは第１の表示板２ａを視認することができ、表示装置１を設置したコーナーを挟む２つの道路から交差点に入る車からはそれぞれ第２の表示板２ｂ、第３の表示板２ｃを視認することができる。したがって、１つの表示装置１で４つの方向から表示板２ａ，２ｂ，２ｃの表示を視認することができる。また、３枚の表示板２ａ，２ｂ，２ｃが１つの架台３上に配置されているため、３枚の表示板２ａ，２ｂ，２ｃをそれぞれの別の架台に設けるよりも安価で省スペース化が図れる。三差路や五差路に設置しても同様に、多方向から表示板２ａ，２ｂ，２ｃの表示を視認することができる。
【００２７】
３枚の表示板２ａ，２ｂ，２ｃは、交差点や道路の状況、表示装置の設置場所等を考慮して、図１１に示すように、角度を変えることができる。
【００２８】
本考案は、以上の実施形態に限られるものではなく、実用新案登録請求の範囲に記載した技術思想の範囲内で種々変更することができる。例えば、前記実施形態では、図３に示すように、表示部１１ａの油種は「レギュラー」としているが、「ハイオク」、「軽油」、「灯油」などいずれの油種を表示してもよいし、ＬＥＤ１０をマトリックス状に配置していずれの油種も表示できるようにしてもよい。同様に、表示部１１ｂの支払種別は「カード会員価格」としているが、「プリペイドカード」、「現金」、「キャッシュカード」などいずれの支払種別を表示してもよいし、ＬＥＤ１０をマトリックス状に配置していずれの支払種別も表示できるようにしてもよい。また、表示部１１ｃの価格は、１００円台まで表示できるが、２００円台まで表示できるように、３桁目も１桁目と２桁目と同様に「８」の文字に沿ってＬＥＤ１０を配置してもよい。さらに、制御箱２２内の制御装置によりＬＥＤ１０の調色や調光を行なってもよい。
【００２９】
前記実施形態の表示板２ａ，２ｂ，２ｃは、ＬＥＤ１０を外部に露出させているが、ＬＥＤ１０の表示部１１ａ，１１ｂ，１１ｃを含む表板５の全体を透明な板材で覆うようにしてもよい。また、表示板２ａ，２ｂ，２ｃの表示部１１ａ，１１ｂ，１１ｃは、発光素子としてＬＥＤ１０を用いたものであるが、全面又は一部に液晶表示部を設けたもの、ＬＥＤと液晶を組み合わせたもの、ＬＥＤ、液晶、プラカード、カッティングシートを適宜組み合わせたものでもよい。なお、表示部１１ａ，１１ｂ，１１ｃのレイアウトや、発光色、表示内容は任意であることは言うまでもない。例えば、表示板２ａ，２ｂ，２ｃに車の誘導方向を示す矢印の「←」や、周囲を囲む枠の形にＬＥＤを配置して点滅させることも可能である。
【００３０】
また、前記実施形態の表示装置１の架台３は３本の支柱１８ａ，１８ｂ，１８ｃを有するが、１本の支柱に枝を設けて、３枚の表示板２ａ，２ｂ，２ｃを支持してもよい。
【産業上の利用可能性】
【００３１】
本考案の表示装置は、三差路や四差路の交差点のコーナーにあるガソリンスタンド等の大型の店舗に設置され、価格等の各種情報を表示するのに使用することができる。
【符号の説明】
【００３２】
Ｃ…隙間
１…表示装置
２ａ，２ｂ，２ｃ…表示板（可動表示板）
３…架台
４…枠
５…表板
６…裏板
７…枠本体
８…化粧枠
９…孔
１０…ＬＥＤ
１１ａ，１１ｂ，１１ｃ…表示部
１２…カッティングシート
１３…換気口
１４…結線ボックス
１５…支持部
１５ａ…蟻溝
１６…取付板
１７…ベース部
１８，１８ｂ，１８ｃ…支柱
１９…キャスター
２０…脚
２１ａ，２１ｂ…連結部材
２２…制御箱
２３…ボルト
２４…固定金具
２５…ボルト
【図１】
0003205167.tif 000003
【図２】
0003205167.tif 000004
【図３】
0003205167.tif 000005
【図４】
0003205167.tif 000006
【図５】
0003205167.tif 000007
【図６】
0003205167.tif 000008
【図７】
0003205167.tif 000009
【図８】
0003205167.tif 000010
【図９】
0003205167.tif 000011
【図１０】
0003205167.tif 000012
【図１１】
0003205167.tif 000013